(57)【要約】      （修正有）【課題】任意の形状の球体等を組立てる球体等の組立て材を提供する。【解決手段】中心部より１２０度の角度で放射する飛出部を形成し、且つ中心部より所定の部位の飛出部に係止孔を形成せしめる板状接続体ａと、細長形状のアーム部の左端部と右端部に凹部を夫々形成し、且つ凹部の隣接部に突出部を夫々延設せしめるアーム状接続体ｂを形成すると共に、板状接続体ａの係止孔にアーム状接続体ｂの凹部と突出部とを夫々嵌合して各種形状のユニット体を形成せしめ、ユニット体を接続せしめて球体物品もしくは四辺形状物品を組立てる球体等の組立て材である。【選択図】図３
0003195543.tif 000002
【実用新案登録請求の範囲】
【請求項１】
中心部より１２０度の角度で放射する飛出部を形成し、且つ前記中心部より所定の部位の飛出部に係止孔を形成せしめる板状接続体と、細長形状のアーム部の左端部と右端部に凹部を夫々形成し、且つ前記凹部の隣接部に突出部を夫々延設せしめる接続子を形成すると共に、前記板状接続体の係止孔に前記接続子の凹部と突出部とを夫々嵌合して各種形状のユニット体を形成せしめ、前記ユニット体を接続せしめて球体物品もしくは四辺形状物品を組立てることを特徴とする球体等の組立て材。
【請求項２】
前記板状接続体の各係止孔を、前記中心部より同一距離の部位の飛出部に形成せしめることを特徴とする請求項１記載の球体等の組立て材。
【請求項３】
前記請求項２の各係止孔を、四辺形状に形成せしめることを特徴とする請求項１又は同２に記載の球体等の組立て材。
【請求項４】
前記突出部の外側縁部に、内側部に切込んだ凹部を夫々形成せしめることを特徴とする請求項１又は同２又は同３に記載の球体等の組立て材。
【考案の詳細な説明】
【技術分野】
【０００１】
本考案は、任意の形状の球体等を組立てる球体等の組立て材の分野に関するものである。
【背景技術】
【０００２】
従来、空気袋を用いた空間形成体が開示されている。この形成体は、１２個五角形ユニットと、２０個の六角形ユニットをボルトとナットで接合し組立てるようにしたものである。
【先行技術文献】
【特許文献】
【０００３】
【特許文献１】実用新案登録第３１３２８５５号登録実用新案公報
【考案の概要】
【考案が解決しようとする課題】
【０００４】
前記従来開示の実用新案登録第３１３２８５５号登録実用新案公報に記載の空気袋を用いた空間形成体は、第１に五角形ユニット（１５個）と、六角形ユニット（２０個）を、前記五角形ユニットの各辺と六角形ユニットの各辺とを重ね合せ、ボルトとナットをもって螺着し組立てることを特長としている。
【０００５】
第２に従来開示の空間形成体は、前記五角形ユニットが内部空気袋と外部空気袋とを構成部材とすることが特長である。
【０００６】
しかるに、本考案の球体等の組立て部材は、前記した従来開示の五角形ユニットと六角形ユニットを予め形成しておく必要もなく、板状接続体と接続子を予め形成しておき、前記２種類の組立て用の構成部材を、組立てて五角形状ユニット体と六角形状にユニット体にしたものを、ブロック状に接続しながら組立てて球体を形成するものである。
【０００７】
さらに、本考案の球体は、前記した従来開示の登録実用新案のようなボルトとナットを螺着させながら組立てる煩雑な作業工程を全く不要にして、所定形状の球体等を極めて簡単にして、且つ迅速に組立てることができるようにした。
【０００８】
また、本考案の球体は、前記した従来開示の登録実用新案の空間形成体と異なり、その利用範囲として、照明器具用、花瓶花器用、各種装飾用、みやげ品、組立て模型品等・・・と多種多様なものに応用できるようにした。
【課題を解決するための手段】
【０００９】
課題を解決するための手段として、請求項１に記載の考案は、中心部１より１２０度の角度で放射する飛出部３を形成し、且つ前記中心部１より所定の部位の飛出部３に係止孔２を形成せしめる板状接続体aと、細長形状のアーム部１０の左端部１１と右端部１２に凹部１３，１４を夫々形成し、且つ前記凹部１３、１４の隣接部に突出部１５、１６を夫々延設せしめるアーム状接続体ｂを形成すると共に、前記板状接続体ａの係止孔２に前記アーム状接続体ｂの凹部１３、１４と突出部１５、１６とを夫々嵌合して各種形状のユニット体を形成せしめ、前記ユニット体を接続せしめて球体物品もしくは四辺形状物品を組立てる球体等の組立て材である。
【００１０】
課題を解決するための手段として、請求項２に記載の考案は、前記板状接続体aの各係止孔２を、前記中心部１より同一距離の部位の飛出部３に形成せしめる球体等の組立て材である。
【００１１】
課題を解決するための手段として、請求項３に記載の考案は、前記請求項２の各係止孔２を、四辺形状に形成せしめる球体等の組立て材である。
【００１２】
課題を解決するための手段として、請求項４に記載の考案は、前記突出部１５、１６の外側縁部１７、１８に、内側部に切込んだ凹部１９、２０を夫々形成せしめる球体等の組立て材である。
【考案の効果】
【００１３】
請求項１に記載の考案は、中心部より１２０度の角度で放射する飛出部を形成し、且つ前記中心部より所定の部位の飛出部に係止孔を形成せしめる板状接続体aと、細長形状のアーム部の左端部と右端部に凹部を夫々形成し、且つ前記凹部の隣接部に突出部を夫々延設せしめる接続子を形成すると共に、前記板状接続体の係止孔に前記接続子の凹部と突出部とを夫々嵌合して各種形状のユニット体を形成せしめ、前記ユニット体を接続せしめ球体物品もしくは四辺形状物品を組立てる球体等の組立て材なので、前記板状接続体の各係止孔に、別設の接続子の左端部もしくは右端部に形成の突出部が嵌り込まれると同時に、前記板状接続体の凹部に前記接続子の係止孔の外側縁部と前記接続子の係止孔より外側縁部との間に形成されている囲み部が嵌り込んで両部材が接続されてる。そのため、前記板状接続体の係止孔に嵌り込んだ前記接続子の左右両側端部の各突出部が夫々相互に嵌り合った状態となっているので、組立てると球体となる基本形状の五角形状ユニット体と六角形状ユニット体が容易に組立てられて両部材が離脱したりしない。
【００１４】
さらに、本考案は、前記板状接続体と前記接続子を五本もしくは六本を使用して前記のように係止孔に突出部を夫々嵌り込んで組立てると、五角形状もしくは六角形状の五角形状ユニット体と六角形状ユニット体が形成され、前記五角形状ユニット体と六角形状ユニット体とを順次接続して図面のようにブロック状態に組立てると球体物品となり、組立てられた球体物品は、外部から前記板状接続体もしくは接続子を押圧もしくは引張っても、前記板状接続体もしくはアーム状接続体が容易に離脱したり、あるいは組立て後にがた付いたり、あるいは弛緩したりしない利点を有している。
【００１５】
また本考案の球体は、応用範囲が多目的にわたる。すなわち、前記のように組立てられた球体物品の内側に照明器具を挿入して照明用傘製品として、あるいはユニークな組立て教材用として、あるいは花挿入用水差し等を嵌挿して生花用具として、また置き物等として広い分野において使用ができる利点を有している。
【００１６】
また、本考案の球体物品もしくは立方体物品は、購買者の注目を著しく引くみやげ品としても販売することができる等極めて広範囲にわたり利用できる物品である。
【００１７】
請求項２に記載の考案は、前記板状接続体ａの各係止孔２を、前記中心部１より同一距離の部位の飛出部３に形成せしめる球体等の組立て材なので、前記請求項１に記載の考案と同じ効果を有している。
【００１８】
請求項３に記載の考案は、前記請求項２の各係止孔２を、四辺形状に形成せしめる球体等の組立て材なので、前記請求項１に記載の考案と同じ効果を有している。
【００１９】
請求項４に記載の考案は、前記突出部１５，１６の外側縁部１７，１８に、内側部に切込んだ凹部１９，２０を夫々組立て五角形状ユニット体と六角形状ユニット体に形成せしめる球体等の組立て材なので、前記請求項１に記載の考案と同じ効果を有している。
【図面の簡単な説明】
【００２０】
【図１】本考案球体等の組立て材である板状接続体の平面図である。
【００２１】
【図２】同接続子の正面図である。
【００２２】
【図３】同接続体と接続子とを組立てた５角形状ユニット体の平面図である。
【００２３】
【図４】同接続体と接続子とを組立てた６角形状ユニット体の平面図である。
【００２４】
【図５】図３、４に図示した５角形状ユニット体と６角形状ユニット体とを接続せしめたブロックの平面図である。
【００２５】
【図６】図３、４に図示する５角形状ユニット体と６角形状ユニット体とを横並列に接続したブロックの平面図である。
【００２６】
【図７】図５、６に図示したブロックを接続せしめた状態のブロックの平面図である。
【００２７】
【図８】球体に組立てる前の各組立てブロックを接続し展開した状態の平面図である。
【００２８】
【図９】球体に組立てられた接続体と接続子の接続状態を示す要部の正面図である。
【００２９】
【図１０】図９の接続中の接続体と接続子の一部切欠拡大正面図である。
【００３０】
【図１１】同接続体と接続子とを組立てたサッカーボール状の正面図である。
【００３１】
【図１２】同第２実施例の組立て物品の斜視図である。
【考案を実施するための最良の形態】
【００３２】
本考案の請求項１〜４に記載の考案に係る実施の形態は共通しているので、以下のとおり一括して説明する。
【００３３】
図において、ａはばね鋼板材製の板状接続体であり、以下の構成からなっている。
【００３４】
前記接続体ａは、中心部１を基点にして１２０度の角度で放射状に放射する飛出部３を形成し、且つ前記中心部１より所定の部位の飛出部３に係止孔２を形成する。  
【００３５】
前記接続体ａの構成上の特長として、前記係止孔２は通常図面図示のとおり、四辺形状にて形成されている。その具体的な実施形態は、上辺部５と下辺部６と左辺部７と右辺部８からなっている。
【００３６】
また前記接続体ａは、飛出部３の前方先端部４と四辺形状係止孔２の上辺部５との間に均一な幅員を有する幅員部９が形成されていることも特長の一つである。
【００３７】
前記係止孔２の各辺部５、６、７、８は、係止時の状態を確実にするため通常直線状にして形成する。
【００３８】
前記接続体ａの全体形状は、寸法上限定するものではない。
【００３９】
つぎに、前記接続体ａと接続する接続子ｂについて説明する。
【００４０】
前記接続子ｂは、細長形状のアーム部１０の左端部１１と右端部１２に凹部１３、１４を夫々形成し、且つ前記凹部１３、１４の隣接部に突出部１５、１６を夫々延設する。
【００４１】
前記接続子ｂを構成する前記突出部１５、１６の外側縁部１７、１８に、内側部に切込んだ凹部１９、２０を夫々形成する。
【００４２】
前記突出体１５、１６は、前記係止孔２に夫々嵌挿できる形状にして形成される。
【００４３】
さらに、前記接続体ａの飛出部３に形成の幅員部９の部位と、前記接続子ｂの凹部１３、１４との関係は、前記幅員部９の部位が、前記接続子ｂの凹部１３、１４に確実に嵌挿し、組立て時には容易に離脱しない嵌合し合う関係となっている。
【００４４】
前記のような構成を有する接続体ａと接続子ｂを組立て球体とするには以下のようにする。  
【００４５】
前記組立てる組立品が例えばサッカーボール型タイプの球体（図１１）とするケースについて説明する。
【００４６】
先ず本考案の要旨である接続体ａと接続子ｂとを所定の数量宛を組立てるには、その基本的に１個の接続体ａの係止孔２内に、接続子ｂの突出部１５、１６を嵌挿する。
【００４７】
五角形状ユニット体ｃに組立てると、図３のようになり、六角形状ユニット体ｄに組立てると図４のようになる。
【００４８】
前記のように組立てると、接続子ｂの突出部１５、１６が、接続体ａの係止孔２内に嵌挿し、同時に接続体ａの幅員部９が、接続子ｂの凹部１３、１４内に嵌挿し合うと同時に前記接続子ｂの凹部１９、２０内に、前記接続体ａの係止孔２の下辺部６が嵌込んで組立てられる。そのため前記接続子ｂが前記接続体ａとは容易に離脱しない。
【００４９】
５個の前記接続体ａと５本の接続子ｂとを嵌合させると、図３のように５角形状ユニット体ｃとなって組立てられる。  
【００５０】
他方６個の接続体ａと６本の接続子ｂとを嵌合させると、図４の６角形状ユニット体ｄとなって組立てられる。
【００５１】
上記のように、本考案の部材である接続体ａと接続子ｂとを順次組立てながら球体を形成するには、先ず図５に図示するように、六角形状ユニット体ｄ２個と五角形状ユニット体ｃ２個とを接続した接続グループｅを予め形成する。
【００５２】
また、図６に図示するように、六角形状ユニット体ｄを２個と、五角形状ユニット体ｃとを接続した接続グループｆを予め形成する。
【００５３】
つぎに、図７に図示するように、図５及び図６に図示した接続グループｅ、ｆを接続する。
【００５４】
最後に、前記接続グループｅ、ｆを図８に図示した接続グループｇのように予め接続した後、さらに接続すると、図１１（写真）のようなサッカーボール状に組立てられ組みたてが完了する。
【００５５】
本考案は、前記のようにサッカーボール状に組立てられる以外に、図１２（写真）のような立方体形状に組立てることもできる。
【００５６】
図１２に示す物品も、前記接続体ａと接続子ｂとを使用し嵌合しながら組立てるものである。
【００５７】
さらに、図１１（写真）のように組立てられた物品は、前記接続体ａと前記接続子ｂとが相互に嵌合うと、前記係止孔２の下辺部６と、前記アーム状接続体ｂの凹部１３、１４が嵌合し、さらに前記係止孔２に前記アーム状接続体ｂの突出部１５、ｌ６が嵌挿すると、前記アーム状接続体ｂが容易に離脱したりしない。
【００５８】
従って、組立てられた球体に対し、組立て部材の接続体ａや接続子ｂを外側方から強く押したり、あるいは強く引張ったりしない限り容易に両部材が離脱したりしない。
【００５９】
前記接続子ｂが嵌合している接続体ａの嵌合部分を、ピンもしくはネジ等でロックすれば、外部からの押圧もしくは引張りに対して堅固である。
【符号の説明】
【００６０】
ａ        板状接続体
ｂ        接続子
ｃ        五角形状ユニット体
ｄ        六角形状ユニット体
ｅ        接続グループ
ｆ        接続グループ
ｇ        接続グループ
１        中心部
２        係止孔
３        飛出部
４        前方先端部
５        上辺部
６        下辺部
７        左辺部
８        右辺部
９        幅員部
１０      アーム部
１１      左端部
１２      右端部
１３      凹部
１４      凹部
１５      突出部
１６      突出部
１７      外側縁部
１８      外側縁部
１９      凹部
２０      凹部
【図１】
0003195543.tif 000003
【図２】
0003195543.tif 000004
【図３】
0003195543.tif 000005
【図４】
0003195543.tif 000006
【図５】
0003195543.tif 000007
【図６】
0003195543.tif 000008
【図７】
0003195543.tif 000009
【図８】
0003195543.tif 000010
【図９】
0003195543.tif 000011
【図１０】
0003195543.tif 000012
【図１１】
0003195543.tif 000013
【図１２】
0003195543.tif 000014
【手続補正書】
【提出日】平成26年11月18日(2014.11.18)
【手続補正１】
【補正対象書類名】実用新案登録請求の範囲
【補正対象項目名】請求項３
【補正方法】変更
【補正の内容】
【請求項３】
前記各係止孔を、四辺形状に形成せしめることを特徴とする請求項２に記載の球体等の組立て材。